(57)【要約】【課題】  戸体の一側部を、躯体開口部に軸吊り金物を介して開閉揺動自在に取り付けてなる開き戸において、防犯性の優れたものに構成する。【解決手段】  玄関ドア１の吊り元側の側部を、吊り元側縦枠体４に設けられた軸吊り金物７の軸部７ｄを介して開閉揺動自在に連結し、玄関ドア１の吊り元側片部１ｄに、Ｌ字形状に折曲した外れ止め金具８を他方の脚片８ｂが吊り元側縦枠体４側を向くように突設するとともに、前記外れ止め金具８の玄関ドア１からの突出長さを、玄関ドア１の左右に形成されると先側のチリＬＳと、吊り元側のチリＲＳとの和よりも長く設定する。【選択図】        図４
2005336947.tif 000002
【特許請求の範囲】
【請求項１】
戸体の一側部を、開口部一側部に設けた軸吊り金物を介して開閉揺動自在に取り付けてなる開き戸において、戸体の前記一側部に、一側方に突出する外れ止め部材を突設して、開口部の一側部に設けた突片により屋外側から覆うように構成するとともに、前記外れ止め部材の戸体からの突出長さを、戸体と開口部との左右方向における間隙の和よりも長く設定した開き戸。
【請求項２】
戸体の一側部を、開口部一側部に設けた軸吊り金物を介して開閉揺動自在に取り付けてなる開き戸において、戸体の前記一側部に、一側方に突出する外れ止め部材を突設して、開口部の一側部に設けた突片により屋外側から覆うように構成するとともに、前記外れ止め部材の突出端部と開口部の一側部とのあいだの間隙を、戸体の他側部を躯体に施錠する錠部材の躯体との係合長さよりも短く設定した開き戸。
【請求項３】
戸体の一側部を、開口部一側部に設けた軸吊り金物を介して開閉揺動自在に取り付けてなる開き戸において、戸体の前記一側部に、一側方に突出する外れ止め部材を突設して、開口部の一側部に設けた突片により屋外側から覆うように構成するとともに、前記外れ止め部材の戸体からの突出長さを、戸体と開口部との左右方向における間隙の和よりも長く設定し、かつ、外れ止め部材の突出端部と開口部の一側部とのあいだの間隙を、戸体の他側部を躯体に施錠する錠部材の躯体との係合長さよりも短く設定した開き戸。
【請求項４】
請求項１乃至３の何れかにおいて、外れ止め部材は、戸体一側部の略全長に突設されている開き戸。
【請求項５】
請求項１乃至４の何れかにおいて、突片には、閉鎖状態の戸体の外れ止め部材とのあいだを封止する封止材が設けられている開き戸。
【請求項６】
請求項１乃至５の何れかにおいて、外れ止め部材は、戸体の閉鎖状態で軸吊り金物の揺動支点よりも屋外側部位に位置して戸体の一側端面に突設されている開き戸。
【請求項７】
請求項１乃至６の何れかにおいて、軸吊り金物による戸体の揺動中心は、戸体の閉鎖状態で屋外側に偏寄して配されている開き戸。
【請求項８】
請求項１乃至７の何れかにおいて、外れ止め部材の突出先端縁部に突片側に突出する係合片を設けるとともに、突片の突出先端縁部に外れ止め部材側に突出する係合受け片を設けた開き戸。
【発明の詳細な説明】
【技術分野】
【０００１】
本発明は、住宅やビル等の建築物の出入り口部に建付けられる開き戸の技術分野に属するものである。
【背景技術】
【０００２】
一般に、この種開き戸のなかには、戸体の一側部における上下部位を、躯体開口部の一側部に設けた軸吊り金物を介して取り付けた、所謂中心吊り様式のものがある。このものにおいて、軸吊り金物は、戸体の上下に露出しているため破壊される惧れがあり、そのようになると、戸体と躯体との一体化がなされなくなって、戸体を施錠していたとしても開放されてしまい、防犯性に劣るという問題がある。
【０００３】
この改善策として、戸体の閉鎖時において、戸体の吊り元側部位と躯体とのあいだに外れ止め機構、例えば、戸体と躯体とのあいだに係合関係を設ける等することにより防犯性を確保することができ、このようにしたものとして、戸体の吊り元側の端面に突部を設ける一方、躯体側に凹部を設け、ドアの閉鎖時に突部が凹部に嵌入係合するようにすることが提唱される（特許文献１参照）。
ところで、このような開き戸において、戸体の閉鎖時に封止性を備えることが必要であり、このため、躯体側に設けられる枠体には、戸体の吊り元側端面に対向する側片部と、屋内側面の吊り元側部位に対向する屋内側片部とが形成されている。そして、戸体を中心吊りで取り付けたような場合、戸体は開閉揺動に伴い吊り元側（枢支側）部位が前後方向中間部を支点として回転する構成のため、吊り元側部位と、側片部と、屋内側片部とは、それぞれ吊り元側部位の回転が許容される形状としなければならない（特許文献２参照）。
【特許文献１】実公昭５１−１４４２８号公報
【特許文献２】特開平９−３２８９５３号公報
【発明の開示】
【発明が解決しようとする課題】
【０００４】
ところが、前記従来のものは、突部と凹部との係合部が上下方向に複数箇所設けられていて、これら突部が、外部、即ち、ドアとドア枠とのあいだの間隙（チリ）から臨めるようになっている。このため、軸受金物と同様に突部を破壊されてしまえば戸体が解放されてしまうことになり、防犯性が充分とはいえず問題があるばかりでなく、突部がチリから露出しているため意匠性にも劣るという問題がある。しかも、このような構成を中心吊り様式の戸体に採用しようとした場合、戸体が吊り元側の前後方向中間部を支点として回転する構成であるが故に、突部が枠体の屋内側片部に干渉する惧れがあり、このままでは採用することができないという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、戸体の一側部を、開口部一側部に設けた軸吊り金物を介して開閉揺動自在に取り付けてなる開き戸において、戸体の前記一側部に、一側方に突出する外れ止め部材を突設して、開口部の一側部に設けた突片により屋外側から覆うように構成するとともに、前記外れ止め部材の戸体からの突出長さを、戸体と開口部との左右方向における間隙の和よりも長く設定したものである。
そして、このようにすることにより、軸吊り金物が破壊されて、戸体を他側に押しやったとして戸体が外れることがないようにできる。
請求項２の発明は、戸体の一側部を、開口部一側部に設けた軸吊り金物を介して開閉揺動自在に取り付けてなる開き戸において、戸体の前記一側部に、一側方に突出する外れ止め部材を突設して、開口部の一側部に設けた突片により屋外側から覆うように構成するとともに、前記外れ止め部材の突出端部と開口部の一側部とのあいだの間隙を、戸体の他側部を躯体に施錠する錠部材の躯体との係合長さよりも短く設定したものである。
そして、このようにすることにより、軸吊り金物が破壊されて、戸体を一方に押しやったとして戸体が外れることがないようにできる。
請求項３の発明は、戸体の一側部を、開口部一側部に設けた軸吊り金物を介して開閉揺動自在に取り付けてなる開き戸において、戸体の前記一側部に、一側方に突出する外れ止め部材を突設して、開口部の一側部に設けた突片により屋外側から覆うように構成するとともに、前記外れ止め部材の戸体からの突出長さを、戸体と開口部との左右方向における間隙の和よりも長く設定し、かつ、外れ止め部材の突出端部と開口部の一側部とのあいだの間隙を、戸体の他側部を躯体に施錠する錠部材の躯体との係合長さよりも短く設定したものである。
そして、このようにすることにより、軸吊り金物が破壊されて、戸体を一方あるいは他方に動かしたとして、戸体が外れることがないようにできる。
請求項４の発明は、請求項１乃至３の何れかにおいて、外れ止め部材は、戸体一側部の略全長に突設されているものであり、このようにすることにより、一層の防犯性の向上を図れる。
請求項５の発明は、請求項１乃至４の何れかにおいて、突片には、閉鎖状態の戸体の外れ止め部材とのあいだを封止する封止材が設けられているものであり、このようにすることにより、戸体の封止性の向上が図れる。
請求項６の発明は、請求項１乃至５の何れかにおいて、外れ止め部材は、戸体の閉鎖状態で軸吊り金物の揺動支点よりも屋外側部位に位置して戸体の一側端面に突設されているものであり、このようにすることにより、戸体の開放時における外れ止め部材の位置を、吊り元側にすることができる。
請求項７の発明は、請求項１乃至６の何れかにおいて、軸吊り金物による戸体の揺動中心は、戸体の閉鎖状態で屋外側に偏寄して配されているものであり、このようにすることにより、戸体の吊り元側における屋外側部位の開閉作動に伴う回転半径を小さいものにできる。
請求項８の発明は、請求項１乃至７の何れかにおいて、外れ止め部材の突出先端縁部に突片側に突出する係合片を設けるとともに、突片の突出先端縁部に外れ止め部材側に突出する係合受け片を設けたものであり、このようにすることにより、戸体を一層外れにくくすることができる。
【発明の効果】
【０００６】
請求項１の発明とすることにより、軸吊り金物が破壊されて、戸体を他側に押しやったとして戸体が外れることがなく、防犯性に優れた開き戸とすることができる。
請求項２の発明とすることにより、軸吊り金物が破壊されて、戸体を一方に押しやったとして戸体が外れることがなく、防犯性に優れた開き戸とすることができる。
請求項３の発明とすることにより、軸吊り金物が破壊されて、戸体を一方あるいは他方に動かしたとして、戸体が外れることがないようにでき、防犯性に優れた開き戸とすることができる。
請求項４の発明とすることにより、一層の防犯性の向上が図れる。
請求項５の発明とすることにより、戸体の閉鎖時における封止性を向上させることができる。
請求項６の発明とすることにより、戸体の開放時における外れ止め部材の位置を、吊り元側にできる。
請求項７の発明とすることにより、外れ止め部材の回転半径を小さくできる。
請求項８の発明とすることにより、防犯性の一層の向上を図ることができる。
【発明を実施するための最良の形態】
【０００７】
つぎに、本発明の実施の形態について、図１〜４の図面に基づいて説明する。
図面において、１は住宅の玄関口に設けられた玄関ドア（本発明の戸体に相当する）であって、該玄関ドア１は、屋内外一対の面板１ａ、１ｂと、これら面板１ａ、１ｂの四周縁部を構成する左右、上下の側片部１ｃ、１ｄ、１ｅ、１ｆとを備えて構成されている。そして、玄関ドア１は、右側部が吊り元側となって躯体に対して開閉揺動自在に枢支されており、玄関ドア１左側部の屋内外面１ａ、１ｂに設けられた把手１ｇを把持し、前記吊り元側を基準として戸先側を開閉操作することにより、玄関ドア１が揺動して屋外側に向けての開閉をするように構成されている。
【０００８】
２は玄関ドア１が建付けられる躯体開口部に設けられたドア枠体であって、該ドア枠体２は左右（戸先側、吊り元側）の縦枠体３、４、および上下の横枠体５、６とにより構成されている。これら左右、上下の各枠体３、４、５、６は、長尺状の金属製板材を折曲することにより、玄関ドア１の四周側片部１ｃ、１ｄ、１ｅ、１ｆに対向する側片部３ａ、４ａ、５ａ、６ａと、これら側片部３ａ、４ａ、５ａ、６ａの屋内側から延出し、ドア面に対向するドア当り片部３ｂ、４ｂ、５ｂ、６ｂとが形成されている。
【０００９】
そして、７は玄関ドア１の右側部（吊り元）を躯体に対して開閉揺動自在に枢支する上下一対の軸吊り金物（中心吊り金具、ピボットヒンジ）であって、これら軸吊り金物７を構成する取り付け片部７ａはＬ字形状に構成されており、該取り付け片部７ａの一方の脚片７ｂを、右縦枠体側片部４ａの上下端部位にそれぞれ螺合固定した状態において、他方の脚片７ｃが玄関ドア１の上下端面に近接対向するように設けられている。これら上下の取り付け片部７ａの他方の脚片７ｃには、それぞれ上下方向に対向し、かつ、同芯状となる状態で支軸７ｄが設けられており、これら支軸７ｄを、玄関ドア１の上下端部に相対回動自在に嵌入させることにより、玄関ドア１は、ドア枠体２（躯体側）に対し、支軸７ｄを支点として開閉揺動自在に連結、枢支され、側片部１ｃ、１ｄ、１ｅ、１ｆがドア枠体２に囲繞される閉鎖姿勢から、戸先側（他側）が屋外側に変位する開放姿勢とのあいだを開閉揺動するように設定されている。
ここで、支軸７ｄの軸芯Ｔは、玄関ドア１の板厚中心線Ｍよりも屋外側に変位して位置するように設定されており、玄関ドア１は軸芯Ｔを揺動支点として揺動するように設定されている。
【００１０】
さて、前記玄関ドア１は、右側である吊り元側の側片部（吊り元側片部であって、本発明の一側端面に相当する）１ｄの屋外側半部に位置して外れ止め金具（本発明の外れ止め部材に相当する）８が上下方向略全長にわたって設けられている。前記外れ止め金具８は、金属製板材を平面視でＬ字形状に折曲して形成されており、一方の脚片８ａが玄関ドア吊り元側片部１ｄに一体的に螺合固定されている。そして、外れ止め金具８の他方の脚片８ｂは、玄関ドア吊り元側片部１ｄから右方である吊り元側縦枠体４の側片部４ａ側に向けて突出して配設されている。
【００１１】
一方、前記吊り元側縦枠体４は、側片部４ａの屋外側端部に戸先側（左側）に向けて突出する突片４ｃが一体的に設けられており、該突片４ｃと外れ止め金具８とが屋内外方向に積層し、外れ止め金具８の突出先端縁部が突片４ｃにより覆われるように構成されている。尚、突片４ｃの突出端縁部には、外れ止め金具８側（屋内側）に向けて突出する係合受け片４ｄが一体形成されており、これによって、外れ止め金具８と係合受け片４ｄとのあいだの間隙が小さくなって、工具等が差し込まれにくく、防犯性を高められるように配慮されている。
また、外れ止め金具８は、前述したように、玄関ドア吊り元側片部１ｄの屋外側半部に設けられている。このように外れ止め金具８を屋外側に位置させることにより、吊り元側片部１ｄと突片４ｃとのあいだからバールのような工具を差し込まれにくくなり、さらなる防犯性の向上を計れるようになっている。
また、Ｋは玄関ドア１と戸先側縦枠体３とのあいだに設けられた施錠具を構成するラッチボルト（本発明の錠部材に相当する）であって、該ラッチボルトＫは、施錠操作に伴い戸先側縦枠体３側に突出して戸先側縦枠体側片部３ａ（躯体側）に形成された凹部（図示せず）に係合して施錠するように設定されている。
【００１２】
そして、このものでは、ドア枠２に玄関ドア１を組み込んだ状態において、玄関ドア１とドア枠２とのあいだには、左右両端部において予め設定された大きさのチリが形成されるが、本実施の形態では、左右に形成されるチリ、即ち、玄関ドア戸先側片部１ｃと戸先側の縦枠体側片部３ａとのあいだの間隙（戸先側のチリ）ＬＳと、玄関ドア吊り元側片部１ｄと吊り元側の縦枠体突片４ｃの突出端縁部とのあいだの間隙（吊り元側のチリ）ＲＳとが同じ大きさになるように設定され、屋外側からの意匠が優れるように配慮されている。また、玄関ドア１に設けられた外れ止め金具８の吊り元側片部１ｄから突出する長さＬ１は、前記左右側のチリＬＳ、ＲＳの和よりも長く設定（Ｌ１＞ＬＳ＋ＲＳ）され、外れ止め金具８の縦枠体突片４ｃにより覆われる長さが戸先側のチリＬＳよりも長くなるように設定されている。これによって、軸吊り金物７を破壊されて、玄関ドア１とドア枠体２との連結が解除され、玄関ドア１を取り外すべく戸先側の縦枠体３側に押し付けたとしても、外れ止め金具７が吊り元側縦枠体突片４ｃに引っ掛かって（係合して）いて玄関ドア１をドア枠体２から取り外すことができないようになっている。
【００１３】
さらに、本実施の形態では、外れ止め金具８の突出先端縁部と、吊り元側縦枠体４の側片部４ａとの対向間隙Ｌ２は、ラッチボルトＫの戸先側縦枠体側片部３ａへの係合長さＲよりも短く（Ｌ２＜Ｒ）なるように設定されている。これによって、軸吊り金物７を破壊されて、玄関ドア１とドア枠体２との連結が解除され、玄関ドア１を取り外すべく吊り元側の縦枠体４側に押し付けたとしても、ラッチボルトＫと戸先側縦枠体側片部３ａとの係合が外れることがなく、玄関ドア１をドア枠体２から取り外すことができないようになっている。
【００１４】
尚、玄関ドア１は、軸吊り金物支軸７ｄの軸芯Ｔを回転中心として屋外側に開閉するが、そのとき、玄関ドア１の吊り元側片部１ｄに設けられた外れ止め金具８は、玄関ドア１と一体に揺動（回転）し、玄関ドア１が図４の実線で示す閉鎖姿勢から仮想線で示す開放姿勢に変姿することに伴い、軸吊り金物７の軸芯Ｔを回転中心として回転変位する。このため、右縦枠体７は、外れ止め金具８の回転軌跡と干渉することがないような形状にしなければならず、本実施の形態の吊り元側縦枠体４は、側片部４ａが戸先側縦枠体３の側片部３ａに比べて屋内外方向に長く、ドア当り片部４ｂが左縦枠体３のドア当り片部３ｂに比べて左右方向に長く形成されており、これによって、外れ止め金具８との干渉を回避するようにしている。このとき、外れ止め金具８は、玄関ドア１の屋外側半部に設けられ、かつ、軸吊り金物７の軸芯Ｔが玄関ドア１板厚の中心線よりも屋外側に変位して設けられている。これによって、玄関ドア１の吊り元側屋外側部位の開閉作動に伴う回転半径が小さくなり、もって、外れ止め金具８の回転半径を小さくできるとともに、外れ止め金具８の左右方向内側（左側）への変位量を小さくできて、吊り元側縦枠体ドア当り面４ｂの左右方向長さを小さく設定することができるように構成されている。
【００１５】
一方、９、１０はドア枠体２と玄関ドア１の屋内側面とのあいだを上下方向、左右方向の各方向の全長にわたって封止する封止部材であって、戸先側縦枠体３、および、上下横枠体５、６に設けられた封止部材９に比して、吊り元側縦枠体４に設けられる封止部材１０は、側片部４ａが屋内外方向に長い分だけ屋内外方向に長く形成されている。ここで、吊り元側縦枠体４に設けられる封止部材１０の取り付け位置は、封止部材１０の吊り元側縁１０ａと、軸吊り金物７の支軸７ｄの軸芯Ｔとが略同一直線上に位置するような位置関係で設けられている。これは、封止部材１０を戸先側に位置させた場合では、玄関ドア１を開放したときに形成される開口部が小さくなってしまい、吊り元側に位置させた場合では、開閉揺動を行う際に、回転する玄関ドア１の屋内側のコーナー部による干渉が大きくなって封止部材１０の耐久性が劣ってしまうという問題があり、そこで、本実施の形態の封止部材１０と軸芯Ｔとの位置関係は、両者の問題点を勘案することに基づいて設定されている。
尚、このようにして位置設定された封止部材１０は、さらに、玄関ドア１を開放したとき、吊り元側片部１ｄに設けられる外れ止め金具８との干渉がないようにしなければならないが、本実施の形態では、外れ止め金具８を吊り元側片部１ｄの屋外側半部側に設けることにより、前記位置設定された封止部材１０との干渉を回避できるようにしている。
また、玄関ドア１の吊り元側片部１ｄは、屋内側部位において、屋内側コーナー部を切り欠くようにして傾斜面１hに形成されていて、玄関ドア１の回転揺動の際に、封止部材１０の変形が必要以上に大きくならず、玄関ドア１の開閉作動を円滑にできるうえ、耐久性の向上を計れるように構成されている。
さらに、吊り元側縦枠材４に一体的に設けられた突片４ｃには、外れ止め金具８の屋外側面とのあいだを封止する封止部材１１が上下方向全長にわたって設けられている。これによって、玄関ドア１の吊り元側片部１ｄ側においては、両封止部材１０、１１がそれぞれ玄関ドア１および外れ止め部材８に当接することにより屋内外において封止される構成となって、封止性を一層高めることができるようになっている。
【００１６】
叙述の如く構成された本形態において、玄関ドア１は、軸吊り金物支軸７ｄを揺動支点として開閉揺動するが、このものにおいて、屋外側から軸吊り金物７を破壊される等して、玄関ドア１とドア枠体２とのあいだの連結、枢支が解除されたとして、玄関ドア１の吊り元側片部１ｄには、左右のチリＬＳ、ＲＳの和よりも左右方向に長く突出する外れ止め金具８が設けられているので、玄関ドア１の左右幅がドア枠体２の左右間隔よりもおおきくなって、ドア枠体２から玄関ドア１を取り外すことができず、防犯性を高めることができる。
【００１７】
しかも、本発明が実施されたものにおいて、外れ止め金具８は、玄関ドア１の吊り元側片部１ｄの上下方向略全長にわたって長く設けられているため、吊り元側のチリＲＳを介して外部から臨むことのできる外れ止め金具８を破壊しようとしても、該破壊作業が困難なうえ時間が掛かり、より防犯性を高めることができる。
【００１８】
そのうえ、このものにおいて、吊り元側縦枠体４に設けられる突片４ｃには、外れ止め金具８の屋外側面とのあいだを封止する封止部材１１が設けられているので、玄関ドア１の吊り元側片部１ｄを、ドア当り片部４ｂ側に設けた封止部材１０とともに封止することになり、該吊り元側における封止性の向上を計ることができる。
【００１９】
さらにこのものでは、玄関ドア１の枢支側である吊り元側片部１ｄの屋内側部位が切り欠かれて傾斜面１ｈに形成されているので、玄関ドア１の開閉揺動がなされる場合に、右縦枠体４のドア当り片部４ｂに設けた封止部材１０を大きく変形してしまうようなことがなく、封止部材１０の消耗を低減して、耐久性を高めることができる。
【００２０】
また、このものにおいて、外れ止め金具８は、玄関ドア１の屋外側半部に設けられ、しかも、軸吊り金物７の軸芯Ｔが玄関ドア１板厚の中心線Ｍよりも屋外側に変位しているので、玄関ドア１の回転揺動における外れ止め金具８の回転半径を小さくできるうえ、玄関ドア１が開放姿勢に変姿したときの外れ止め金具８の位置を吊り元側に偏寄させることができて、外れ止め金具８と封止部材１０との干渉を考慮して、吊り元側縦枠体４のドア当り片部４ｂの左右幅を大きく確保することなく、小さく設定することができる。
【００２１】
尚、本発明は前記実施の形態に限定されないことは勿論であって、図５に示す第二の実施の形態のように構成することもできる。
第二の実施の形態の外れ止め金具１２は、一対の脚片１２ａ、１２ｂのうち、吊り元側縦枠体４側に突出する脚片１２ｂの突出先端縁部に、吊り元側縦枠体４に設けられた突片４ｃ側に突出する係合片１２ｃが一体形成されてクランク形状に形成されており、該係合片１２ｃと、突片４ｃの突出先端縁部に設けられた係合受け片４ｄとが左右方向において積層するように配設されている。これによって、軸吊り金物７を破壊されて、玄関ドア１が取り外そうとした場合に、係合片１２ｃと係合受け片４ｄとが係合して、一層取り外しにくい状況となり、防犯性のさらなる向上を図ることができる。
【図面の簡単な説明】
【００２２】
【図１】図１（Ａ）、（Ｂ）はそれぞれ玄関ドアの取り付け状態の正面図、背面図である。
【図２】図１（Ａ）におけるＸ−Ｘ断面図である。
【図３】玄関ドアの一部平面断面図である。
【図４】図１（Ａ）におけるＹ−Ｙ断面図である。
【図５】第二の実施の形態における一部平面断面図である。
【符号の説明】
【００２３】
１    玄関ドア
１ｄ    吊り元側片部
２    ドア枠体
３    戸先側縦枠体
４    吊り元側縦枠体
４ａ    側片部
４ｂ    ドア当り片部
７    軸吊り金物
８    外れ止め金具
９    封止部材
１１    封止部材
【図１】
2005336947.tif 000003
【図２】
2005336947.tif 000004
【図３】
2005336947.tif 000005
【図４】
2005336947.tif 000006
【図５】
2005336947.tif 000007